(57)【要約】【課題】  フィルムとプリントされた写真との照合を効率的に行う。【解決手段】  写真処理システム１０は、外部から入力された注文情報を受け付けると共に、注文情報が受け付けられたフィルム９１毎に識別情報を付与する受付装置１００と、受付装置１００によって付与された識別情報をフィルム９１に対して視認可能に記録するフィルムＩＤ記録装置２００と、写真９３をプリントして出力すると共に、印画紙の裏面（画像が形成される面と対向する面）に識別情報を印刷する写真出力装置６００とを備えている。【選択図】      図１
2005300826.tif 000002
【特許請求の範囲】
【請求項１】
画像が撮影されたフィルム毎に、プリント処理に対する指示情報であるプリント指示情報を含む注文情報を受け付けてプリント処理を行う写真処理システムであって、
注文情報が受け付けられたフィルム毎に所定のルールに則って識別情報を付与する識別情報付与手段と、
前記識別情報付与手段によって付与された識別情報をフィルムに対して視認可能に記録するフィルムＩＤ記録手段と、
前記注文情報のプリント指示情報に応じて、１のフィルムに対応する写真をプリントして出力する写真出力手段とを備え、
前記写真出力手段は、前記識別情報付与手段によって付与された識別情報を各写真に対して視認可能に記録することを特徴とする写真処理システム。
【請求項２】
画像が撮影されたフィルム毎に、プリント処理に対する指示情報であるプリント指示情報を含む注文情報を受け付けてプリント処理を行う写真処理システムであって、
注文情報が受け付けられたフィルム毎に所定のルールに則って識別情報を付与する識別情報付与手段と、
前記識別情報付与手段によって付与された識別情報をフィルムに対して視認可能に記録するフィルムＩＤ記録手段と、
前記注文情報のプリント指示情報に応じて、１のフィルムに対応する写真をプリントして出力する写真出力手段とを備え、
前記写真出力手段は、１のフィルムに対応する写真を出力する度に、前記識別情報付与手段によって付与された識別情報を所定の印画紙に記録して出力することを特徴とする写真処理システム。
【請求項３】
前記写真出力手段は、前記所定の印画紙に前記１のフィルムに対応する写真のサムネイル画像をプリントして出力することを特徴とする請求項２に記載の写真処理システム。
【請求項４】
前記フィルムＩＤ記録手段は、現像する前のフィルムに対して、フィルム表面の乳剤を機械的に取り除くことによって、識別情報を記録することを特徴とする請求項１〜３のいずれかに記載の写真処理システム。
【請求項５】
フィルムから画像データを読み取るフィルムスキャナと、
フィルムの識別情報を記録媒体の表面に視認可能に記録すると共に、前記識別情報に対応するフィルムの画像データを前記記録媒体に格納する記録媒体処理手段とを備え、
前記注文情報には、注文者が前記画像データの記録媒体への格納を所望するか否かの情報を含むことを特徴とする請求項１〜４のいずれかに記載の写真処理システム。
【請求項６】
前記記録媒体は、ディスク状の記録媒体であって、
前記記録媒体処理手段は、前記識別情報をディスク状の記録媒体のレーベル面に印刷することを特徴とする請求項５に記載の写真処理システム。
【請求項７】
前記注文情報を前記識別情報付与手段によって付与された識別情報と対応付けて格納する受付情報記憶手段と、
外部から入力された注文情報を受け付けて、前記識別情報付与手段によって付与された識別情報と対応付けて前記受付情報記憶手段に格納すると共に、注文者に預り証として付与するべく所定の用紙に前記識別情報を印刷する受付手段と、
注文者からの前記預り証を参照して外部から入力された前記識別情報を受け付けて、受け付けた識別情報に対応する注文情報を前記受付情報記憶手段から読み出して視認可能に表示する注文情報表示手段とを備えることを特徴とする請求項１〜６のいずれかに記載の写真処理システム。
【請求項８】
前記注文情報表示手段によって前記受付情報記憶手段から読み出された注文情報を用いて課金金額を算出する課金金額算出手段を備え、
前記注文情報表示手段は、前記課金金額算出手段から課金金額を取得して視認可能に表示することを特徴とする請求項７に記載の写真処理システム。
【発明の詳細な説明】
【技術分野】
【０００１】
本発明は、画像が撮影されたフィルム毎に、プリント処理に対する指示情報であるプリント指示情報を含む注文情報を受け付けてプリント処理を行う写真処理システムに関する。
【背景技術】
【０００２】
従来、写真館やＤＰ店などでフィルムから写真のプリント処理を行う場合には、注文者から指示されたプリント指示情報を含む注文情報をＤＰ袋と呼ばれる袋に記入して、このＤＰ袋とフィルムとを対応付けるために、ツインチェックと呼ばれる４桁の数字が印刷されたラベルをＤＰ袋とフィルムとに貼り付けていた。
【０００３】
そして、フィルムに対しては、現像、フィルムスキャナによる画像データの読み取り、ネガシートの生成等の処理が施され、フィルムスキャナにより読み取られた画像データが写真処理装置に入力されて印画紙にプリント処理が施されて写真が生成される。
【０００４】
プリント処理が完了すると、写真に形成された画像と、ネガシートとなったフィルムの画像とが作業者の目視によって照合され、プリントされた写真とフィルムとが照合される。そして、更に、フィルムに貼付されたツインチェックラベルと、ＤＰ袋に貼付されたツインチェックラベルとが作業者の目視によって照合され、フィルムとＤＰ袋とが照合される。照合されたフィルムと写真とがＤＰ袋に収納されて、注文者に手渡し可能な状態（仕上がり状態）となる。
【発明の開示】
【発明が解決しようとする課題】
【０００５】
上記の方法によれば、ＤＰ袋、フィルム及びプリントされた写真を作業者が目視によって照合する必要があるため、多数のプリント注文を間違いなく、短時間に処理することは困難であり、また、作業者の負担が大きかった。
【０００６】
一方、近年、ＣＤドライブを備えたパーソナルコンピュータの一般家庭への普及に伴い、フィルムスキャナによって読み取られた画像データをＣＤに格納して提供するサービスが行われるようになってきている。このサービスを行う場合には、従来のＤＰ袋、フィルム及びプリントされた写真に加えて、画像データが格納されたＣＤを照合する必要があり、更に作業者の負担が大きくなる。
【０００７】
本発明は、上記課題に鑑みてなされたもので、フィルムとプリントされた写真との照合を正確且つ効率的に行うことの可能な写真処理システムを提供することを目的とする。本発明は、更に、ＣＤ等の記録媒体との照合を正確且つ効率的に行うことを、他の目的とするものである。
【課題を解決するための手段】
【０００８】
請求項１に記載の写真処理システムは、画像が撮影されたフィルム毎に、プリント処理に対する指示情報であるプリント指示情報を含む注文情報を受け付けてプリント処理を行う写真処理システムであって、注文情報が受け付けられたフィルム毎に所定のルールに則って識別情報を付与する識別情報付与手段と、前記識別情報付与手段によって付与された識別情報をフィルムに対して視認可能に記録するフィルムＩＤ記録手段と、前記注文情報のプリント指示情報に応じて、１のフィルムに対応する写真をプリントして出力する写真出力手段とを備え、前記写真出力手段が、前記識別情報付与手段によって付与された識別情報を各写真に対して視認可能に記録することを特徴としている。
【０００９】
上記の構成によれば、識別情報付与手段によって、注文情報が受け付けられたフィルム毎に所定のルールに則って識別情報が付与され、フィルムＩＤ記録手段によって、識別情報付与手段により付与された識別情報がフィルムに対して視認可能に記録される。そして、写真出力手段によって、注文情報のプリント指示情報に応じて、１のフィルムに対応する写真がプリントして出力されると共に、識別情報付与手段により付与された識別情報が各写真に対して視認可能に記録される。
【００１０】
従って、識別情報がフィルム及びプリントされた各写真に視認可能に記録されるため、記録された識別情報を用いて、フィルムとプリントされた写真とを正確且つ効率的に照合することが可能となる。
【００１１】
請求項２に記載の写真処理システムは、画像が撮影されたフィルム毎に、プリント処理に対する指示情報であるプリント指示情報を含む注文情報を受け付けてプリント処理を行う写真処理システムであって、注文情報が受け付けられたフィルム毎に所定のルールに則って識別情報を付与する識別情報付与手段と、前記識別情報付与手段によって付与された識別情報をフィルムに対して視認可能に記録するフィルムＩＤ記録手段と、前記注文情報のプリント指示情報に応じて、１のフィルムに対応する写真をプリントして出力する写真出力手段とを備え、前記写真出力手段が、１のフィルムに対応する写真を出力する度に、前記識別情報付与手段によって付与された識別情報を所定の印画紙に記録して出力することを特徴としている。
【００１２】
上記の構成によれば、識別情報付与手段によって、注文情報が受け付けられたフィルム毎に所定のルールに則って識別情報が付与され、フィルムＩＤ記録手段によって、識別情報付与手段により与された識別情報がフィルムに対して視認可能に記録される。そして、写真出力手段によって、注文情報のプリント指示情報に応じて、１のフィルムに対応する写真がプリントして出力されると共に、１のフィルムに対応する写真が出力される度に、識別情報付与手段により付与された識別情報が所定の印画紙に記録して出力される。
【００１３】
従って、識別情報がフィルムと、１のフィルムに対応する写真が出力される度に出力される印画紙とに視認可能に記録されるため、記録された識別情報を用いて、フィルムとプリントされた写真とを正確且つ効率的に照合することが可能となる。
【００１４】
請求項３に記載の写真処理システムは、前記写真出力手段が、前記所定の印画紙に前記１のフィルムに対応する写真のサムネイル画像をプリントして出力することを特徴としている。
【００１５】
上記の構成によれば、写真出力手段によって、識別情報が記録される印画紙に、その識別情報に対応するフィルムに記録された写真のサムネイル画像がプリントして出力される。
【００１６】
従って、サムネイル画像がプリントされる印画紙と、識別情報が記録される印画紙とが共用されるため、印画紙を有効に使用することが可能となる。また、識別情報が記録される印画紙にサムネイル画像がプリントされているため、識別情報が記録される印画紙とプリントされた各写真とがバラバラになった（対応付けが不明な状態となった）場合にも、識別情報が記録される印画紙とプリントされた各写真との照合が可能となる。
【００１７】
請求項４に記載の写真処理システムは、前記フィルムＩＤ記録手段が、現像する前のフィルムに対して、フィルム表面の乳剤を機械的に取り除くことによって、識別情報を記録することを特徴としている。
【００１８】
上記の構成によれば、フィルムＩＤ記録手段によって、現像する前のフィルムに対して、フィルム表面の乳剤を機械的に取り除くことにより、識別情報が記録される。従って、乳剤が除去された部分と乳剤が残っている部分とでは、現像後には光の透過率が大きく異なるため、識別情報が視認可能となる。また、プリンタ等で識別情報がフィルムに印刷されている場合と比較して、フィルム表面が摩擦された場合にも、識別情報が消去され難いため、識別情報がフィルムの取り扱い時に消去されるトラブルの発生が抑制される。
【００１９】
請求項５に記載の写真処理システムは、フィルムから画像データを読み取るフィルムスキャナと、フィルムの識別情報を記録媒体の表面に視認可能に記録すると共に、前記識別情報に対応するフィルムの画像データを前記記録媒体に格納する記録媒体処理手段とを備え、前記注文情報には、注文者が前記画像データの記録媒体への格納を所望するか否かの情報を含むことを特徴としている。
【００２０】
上記の構成によれば、フィルムスキャナによって、フィルムから画像データが読み取られ、記録媒体処理手段によって、フィルムの識別情報が記録媒体の表面に視認可能に記録されると共に、識別情報に対応するフィルムの画像データが記録媒体に格納される。また、注文情報には、注文者がフィルムに記録された画像データの記録媒体への格納を所望するか否かの情報が含まれている。
【００２１】
従って、注文者がフィルムに記録された画像データの記録媒体への格納を所望する場合には、フィルムの画像データが記録媒体に格納されるが、その記録媒体の表面に識別情報が視認可能に記録されているため、識別情報を用いて、記録媒体とフィルムとを正確且つ効率的に照合することが可能となる。
【００２２】
請求項６に記載の写真処理システムは、前記記録媒体が、ディスク状の記録媒体であって、前記記録媒体処理手段が、前記識別情報をディスク状の記録媒体のレーベル面に印刷することを特徴としている。
【００２３】
上記の構成によれば、記録媒体がディスク状の記録媒体であって、記録媒体処理手段によって、識別情報がディスク状の記録媒体のレーベル面に印刷される。従って、識別情報がディスク状の記録媒体のレーベル面に印刷されるため、作業者が記録媒体に印刷された識別情報を容易に確認することが可能となる。
【００２４】
請求項７に記載の写真処理システムは、前記注文情報を前記識別情報付与手段によって付与された識別情報と対応付けて格納する受付情報記憶手段と、外部から入力された注文情報を受け付けて、前記識別情報付与手段によって付与された識別情報と対応付けて前記受付情報記憶手段に格納すると共に、注文者に預り証として付与するべく所定の用紙に前記識別情報を印刷する受付手段と、注文者からの前記預り証を参照して外部から入力された前記識別情報を受け付けて、受け付けた識別情報に対応する注文情報を前記受付情報記憶手段から読み出して視認可能に表示する注文情報表示手段とを備えることを特徴としている。
【００２５】
上記の構成によれば、受付手段によって、外部から入力された注文情報が受け付けられて、識別情報付与手段により付与された識別情報と対応付けて受付情報記憶手段に格納されると共に、注文者に預り証として付与するべく所定の用紙に識別情報が印刷される。そして、注文情報表示手段によって、注文者からの預り証を参照して外部から入力された識別情報が受け付けられて、受け付けた識別情報に対応する注文情報が受付情報記憶手段から読み出されて視認可能に表示される。
【００２６】
従って、注文情報が受け付けられた際に発行された預り証を参照して外部から入力された識別情報が受け付けられて、受け付けた識別情報に対応する注文情報が視認可能に表示されるため、識別情報を用いて、注文情報とフィルム及びプリントされた写真とを照合することが可能となる。
【００２７】
請求項８に記載の写真処理システムは、前記注文情報表示手段によって前記受付情報記憶手段から読み出された注文情報を用いて課金金額を算出する課金金額算出手段を備え、前記注文情報表示手段が、前記課金金額算出手段から課金金額を取得して視認可能に表示することを特徴としている。
【００２８】
上記の構成によれば、課金金額算出手段によって、注文情報表示手段により受付情報記憶手段から読み出された注文情報を用いて課金金額が算出され、注文情報表示手段によって、課金金額算出手段から課金金額が取得されて視認可能に表示される。
【００２９】
従って、注文情報を用いて課金金額が算出されて、視認可能に表示されるため、作業者が課金金額を計算する作業が不要となり、作業者の負荷が軽減されると共に、課金金額が正確に求められる。
【発明の効果】
【００３０】
請求項１に記載の発明によれば、識別情報がフィルム及びプリントされた各写真に視認可能に記録されるため、記録された識別情報を用いて、フィルムとプリントされた写真とを正確且つ効率的に照合することができる。
【００３１】
請求項２に記載の発明によれば、識別情報がフィルムと、１のフィルムに対応する写真が出力される度に出力される印画紙とに視認可能に記録されるため、記録された識別情報を用いて、フィルムとプリントされた写真とを正確且つ効率的に照合することができる。
【００３２】
請求項３に記載の発明によれば、サムネイル画像がプリントされる印画紙と、識別情報が記録される印画紙とが共用されるため、印画紙を有効に使用することができる。また、識別情報が記録される印画紙にサムネイル画像がプリントされているため、識別情報が記録される印画紙とプリントされた各写真とがバラバラになった（対応付けが不明な状態となった）場合にも、識別情報が記録される印画紙とプリントされた各写真とを照合することができる。
【００３３】
請求項４に記載の発明によれば、乳剤が除去された部分と、乳剤が残っている部分とでは、現像後には、光の透過率が大きく異なるため、識別情報を視認することができる。また、プリンタ等で識別情報がフィルムに印刷されている場合と比較して、フィルム表面が摩擦された場合にも、識別情報が消去され難いため、識別情報がフィルムの取り扱い時に消去されるトラブルの発生を抑制できる。
【００３４】
請求項５に記載の発明によれば、注文者がフィルムに記録された画像データの記録媒体への格納を所望する場合には、フィルムの画像データが記録媒体に格納されるが、その記録媒体の表面に識別情報が視認可能に記録されているため、識別情報を用いて、記録媒体とフィルムとを正確且つ効率的に照合することができる。
【００３５】
請求項６に記載の発明によれば、識別情報がディスク状の記録媒体のレーベル面に印刷されるため、作業者が記録媒体に印刷された識別情報を容易に確認することができる。
【００３６】
請求項７に記載の発明によれば、注文情報が受け付けられた際に発行された預り証を参照して外部から入力された識別情報が受け付けられて、受け付けた識別情報に対応する注文情報が視認可能に表示されるため、識別情報を用いて、注文情報とフィルム及びプリントされた写真とを照合することができる。
【００３７】
請求項８に記載の発明によれば、注文情報を用いて課金金額が算出されて、視認可能に表示されるため、作業者が課金金額を計算する作業が不要となり、作業者の負荷を軽減できると共に、課金金額を正確に求めることができる。
【発明を実施するための最良の形態】
【００３８】
以下、図１〜図１１を用いて本発明の一実施形態について説明する。図１は、本発明が適用される写真処理システムの概略構成図の一例である。写真処理システム１０は、外部から入力された注文情報を受け付けると共に、注文情報が受け付けられたフィルム９１毎に識別情報を付与する受付装置１００（受付手段及び識別情報付与手段に相当する）と、受付装置１００によって付与された識別情報をフィルム９１に対して視認可能に記録するフィルムＩＤ記録装置２００（フィルムＩＤ記録手段に相当する）と、フィルム９１に現像処理を施すフィルム現像機３００と、現像処理によってフィルム９１に可視化された画像を光学的に読み取りコマ毎にディジタルデータ（画像データ）を生成するフィルムスキャナ４００と、フィルムを所定コマ数毎に切断してネガシート９２を生成するフィルム処理装置５００と、写真９３をプリントして出力する写真出力装置６００（写真出力手段に相当する）と、ＣＤ−Ｒ（ＣＤ  ｒｅｃｏｒｄａｂｌｅ）又はＣＤ−ＲＷ（ＣＤ  ｒｅｗｒｉｔａｂｌｅ）（ここでは、これらを総称してＣＤ９４という）に画像データを書き込むＣＤ処理装置７００（記録媒体処理手段に相当する）と、受付装置１００によって受け付けられた注文情報を視認可能に表示する注文情報表示装置８００（注文情報表示手段に相当する）とを備えている。
【００３９】
受付装置１００は、外部から入力された注文情報を受け付けると共に、注文情報が受け付けられたフィルム９１毎に所定のルールに則って識別情報を生成して付与するものである。また、受付装置１００は、注文情報を識別情報に対応付けて格納すると共に、フィルムＩＤ記録装置２００、写真出力装置６００等に対して種々の情報を送信するものである。更に、受付装置１００は、注文者に預り証９５として付与するべく所定の用紙に識別情報を印刷するものである。なお、受付装置１００の構成及び機能の詳細については、図２〜図４を用いて後述する。
【００４０】
フィルムＩＤ記録装置２００は、受付装置１００によって付与された識別情報をフィルムに対して視認可能に記録するものであって、ここでは、フィルム現像機３００によって現像される前のフィルム９１に対して、フィルム９１表面の乳剤を機械的に取り除くことによって、識別情報を記録するものである。なお、フィルムＩＤ記録装置２００の構成の詳細については、図５を用いて後述する。
【００４１】
フィルム現像機３００は、フィルム９１を処理液の充填された処理タンク内を通過させてフィルム９１に現像処理を施すものであって、コマ毎の画像を可視化すると共に、フィルムＩＤ記録装置２００によって記録された識別情報を可視化するものである。
【００４２】
フィルムスキャナ４００は、フィルム現像機３００によって現像されたフィルム９１に光を当てて、透過光をＣＣＤ（ｃｈａｒｇｅ  ｃｏｕｐｌｅｄ  ｄｅｖｉｃｅ）などの撮像素子で受光することによってフィルム９１のコマ毎の画像データを得るものである。なお、フィルムスキャナ４００によって得られた画像データは、フィルム９１毎に識別情報と対応付けられて写真出力装置６００及びＣＤ処理装置７００に伝送される。
【００４３】
フィルム処理装置５００は、現像済みのフィルム９１を所定のコマ数（ここでは、６コマ）に切断した後、袋状のフィルム収納部を多数並設してなる帯状のフィルムシートに収納して、ネガシート９２を生成するものである。
【００４４】
写真出力装置６００は、受付装置１００から識別情報及び注文情報を受信し、フィルムスキャナ４００から識別情報及び画像データを受信して、注文情報に応じて画像データを用いて写真９３を印画紙にプリントして出力するものである。また、写真出力装置６００は、印画紙の裏面（画像が形成される面と対向する面）に、識別情報を印刷するものである。なお、写真出力装置６００の構成の詳細については、図６を用いて後述する。
【００４５】
ＣＤ処理装置７００は、フィルムスキャナ４００によって得られた画像データをＣＤ９４に書き込むと共に、ＣＤ９４のレーベル面（記録面と対向する面）に識別情報を印刷するものである。なお、ＣＤ処理装置７００の構成及び動作の詳細については、図７、８を用いて後述する。
【００４６】
注文情報表示装置８００は、外部から入力された識別情報を受け付けて、受け付けた識別情報に対応する注文情報を視認可能に表示すると共に、注文情報を用いて課金金額を算出して、求められた課金金額情報を視認可能に表示するものである。なお、注文情報表示装置８００の構成及び動作の詳細については、図９〜１１を用いて後述する。
【００４７】
図２は、受付装置１００のハード構成図の一例である。受付装置１００は、例えば、パーソナルコンピュータ等からなり、受付装置１００の全体の動作を制御する制御部１１と、外部からの操作を受け付ける図略のキーボード、マウス等からなる操作部１２と、外部に音声を出力するスピーカ１３と、外部に画像を出力するモニタ１４と、フィルムＩＤ記録装置２００、写真出力装置６００、ＣＤ処理装置７００及び注文情報表示装置８００と通信を行う通信制御部１５と、種々の情報を記録用紙に印刷する（特に、注文者に付与する預り証９５として識別情報を所定の用紙に印刷する）プリンタ１６とがデータ伝送路であるバスＢＡ１を介して接続されている。
【００４８】
制御部１１は、受付装置１００の全体の動作を制御するもので、情報処理部（ＣＰＵ）１１１と、処理途中の情報等を一時的に格納するＲＡＭ１１２と、ＯＳ（ｏｐｅｒａｔｉｎｇ  ｓｙｓｔｅｍ）、所定の画像情報等が予め記憶されたＲＯＭ１１３とを備えている。ＲＡＭ１１２またはＲＯＭ１１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００４９】
インターフェイス部１２１は、操作部１２との間のデータの授受を行うためのものである。音声再生部１３１は、制御部１１からの指示に従って所定の音声（例えば、アラーム、操作ガイダンス用の音声等）等をスピーカ１３に出力するものである。描画処理部１４１は、制御部１１からの画像表示指示に従って所要の画像をモニタ１４に表示させるもので、ビデオＲＡＭ等を備えている。
【００５０】
図３は、受付装置１００の機能構成図の一例である。ＣＰＵ１１１は、注文情報を受け付ける注文情報受付部１１１ａ（受付手段の一部に相当する）と、注文情報が受け付けられたフィルム毎に識別情報を付与する識別情報付与部１１１ｂ（識別情報付与手段に相当する）と、注文情報等を写真出力装置６００等に送信するデータ送信部１１１ｃと、注文者に付与する預り証９５として識別情報を印刷する指示を出力する印刷指示部１１１ｄ（受付手段の一部に相当する）とを備えている。ＲＡＭ１１２は、注文情報等を格納する受付情報記憶部１１２ａ（受付情報記憶手段に相当する）を備えている。
【００５１】
注文情報受付部１１１ａは、操作部１２を介して外部からの入力を受け付けて、例えば、注文者の氏名、住所、電話番号、電子メールアドレス等の情報（以下、注文者情報という）と、フィルム９１の写真９３へのプリントサイズ、及びプリント枚数（以下、プリント情報という）と、ＣＤ９４への画像データの格納の要否（以下、ＣＤ要否情報という）とを含む注文情報を受け付けるものである。ただし、注文者情報は、上記の例に限らず、注文者が識別（特定）できるものであれば足りるため、例えば、氏名のみである形態でもよい。
【００５２】
識別情報付与部１１１ｂは、注文情報受付部１１１ａによって注文情報が受け付けられたフィルム９１毎に、所定のルールに則って識別情報を生成して付与すると共に、注文情報を識別情報に対応付けて受付情報記憶部１１２ａに格納するものである。ここでは、識別情報は４桁の整数であって、識別情報付与部１１１ｂは、カウンタを内蔵しており、注文情報が受け付けられた順にカウントアップすることで、フィルム９１毎に４桁の一連番号である識別情報を付与するものである。例えば、識別情報として、「１２３４」が付与されたフィルム９１の直後に受け付けられたフィルム９１には、識別情報として「１２３５」が付与される。
【００５３】
データ送信部１１１ｃは、通信制御部１５を介して、フィルムＩＤ記録装置２００に対して、識別情報付与部１１１ｂによってフィルム９１に付与された識別情報を送信するものである。また、データ送信部１１１ｃは、通信制御部１５を介して、写真出力装置６００、ＣＤ処理装置７００及び注文情報表示装置８００に対して、注文情報受付部１１１ａによって受け付けられた注文情報を識別情報付与部１１１ｂによってフィルム９１に付与された識別情報と対応付けて送信するものである。
【００５４】
印刷指示部１１１ｄは、注文者に付与する預り証９５として、識別情報付与部１１１ｂによってフィルム９１に付与された識別情報を印刷する旨の指示情報をプリンタ１６に対して出力するものである。なお、預り証９５は、プリント注文時に注文者に付与され、プリント処理等が完了して注文者が写真９３等を受け取る際に、注文情報の確認のために使用されるものである。
【００５５】
受付情報記憶部１１２ａは、注文情報受付部１１１ａによって受け付けられた注文情報を、識別情報付与部１１１ｂによって付与された識別情報に対応付けて格納するものである。
【００５６】
なお、受付装置１００を注文情報受付部１１１ａ、識別情報付与部１１１ｂ、データ送信部１１１ｃ及び印刷指示部１１１ｄとして機能させるプログラムは、例えばＲＯＭ１１３に格納されており、ＣＰＵ１１１によって実行されることにより、受付装置１００が注文情報受付部１１１ａ等の各機能部として機能するものである。
【００５７】
図４は、受付装置１００の動作を表すフローチャートの一例である。まず、注文情報受付部１１１ａによって、注文者情報が受け付けられる（ステップＳ１０１）。次いで、注文情報受付部１１１ａによって、フィルム９１の写真９３へのプリントサイズ、及びプリント枚数（プリント情報）が受け付けられる（ステップＳ１０３）。そして、注文情報受付部１１１ａによって、ＣＤ９４への画像データの格納の要否が受け付けられる（ステップＳ１０５）。
【００５８】
つぎに、識別情報付与部１１１ｂによって、ステップＳ１０１〜１０５において注文情報が受け付けられたフィルム９１に対して、識別情報が付与される（ステップＳ１０７）。そして、識別情報付与部１１１ｂによって、ステップＳ１０１〜１０５において受け付けられた注文情報がステップＳ１０７において付与された識別情報に対応付けられて受付情報記憶部１１２ａに格納される（ステップＳ１０９）。次いで、データ送信部１１１ｃによって、ステップＳ１０７において付与された識別情報（ＣＤ要否情報）及び、ステップＳ１０１〜１０５において受け付けられた注文情報がフィルムＩＤ記録装置２００、写真出力装置６００、ＣＤ処理装置７００及び注文情報表示装置８００に対して送信される（ステップＳ１１１）。そして、印刷指示部１１１ｄによって、ステップＳ１０７において付与された識別情報を印刷する旨の指示情報がプリンタ１６に対して出力され（ステップＳ１１３）、処理が終了される。
【００５９】
図５は、フィルムＩＤ記録装置２００のハード構成図の一例である。（ａ）は上面図であり、（ｂ）はＡ−Ａ断面図であり、（ｃ）はＢ−Ｂ断面図である。なお、便宜上、ｘｙｚ直交座標の座標軸を図示している。フィルムＩＤ記録装置２００は、各部材が固定される基台部２１と、回転軸がｘ軸と平行である向きに基台部２１上に配設されるｘ軸パルスモータ２２と、ｘ軸パルスモータ２２の回転に伴いボールねじを介してｘ軸方向に移動されるｘ軸テーブル２３と、回転軸がｙ軸と平行である向きにｘ軸テーブル２３上に配設されるｙ軸パルスモータ２４と、ｙ軸パルスモータ２４の回転に伴いボールねじを介してｙ軸方向に移動されるｙ軸テーブル２５と、ｙ軸テーブル２５上に配設されフィルム面上の乳剤を機械的に取り除く針２６と、フィルム９１を所定の位置に（初期位置にある針２６が、フィルム９１の最先端又は最尾端のコマの外側の位置に予め設定された識別情報記録領域内の所定位置に位置するべく）固定するフィルムガイド２７とを備えている。
【００６０】
なお、フィルムＩＤ記録装置２００は、図略のパーソナルコンピュータ等からなる制御部を備え、この制御部は、受付装置１００から識別情報（ここでは、４桁の識別番号）を受け付けて、識別番号の形状に針２６を動かすべくｘ軸パルスモータ２２及びｙ軸パルスモータ２４に駆動指令信号を出力する機能を有するものである。また、フィルムガイド２７へのフィルム９１のセットは、作業者によって行われるものとする。
【００６１】
ただし、針２６のフィルム９１との接触、非接触の切り替えは、針２６の昇降機構（図示省略）をｙ軸テーブル２５上に設けるか、又は、基台部２１自体を昇降させる機構（図示省略）で対応できる。あるいは、フィルムガイド２７を昇降させる機構を有する形態でもよい。
【００６２】
つぎに、フィルムＩＤ記録装置２００の動作の概要を説明する。ただし、フィルム９１は、予めフィルムガイド２７にセットされているものとする。まず、制御部によって、受付装置１００から識別番号が受け付けられる。そして、制御部から、受け付けられた識別番号の形状に針２６を動かすべくｘ軸パルスモータ２２及びｙ軸パルスモータ２４に対して駆動指令信号が出力される。この駆動指令信号に応じてｘ軸パルスモータ２２及びｙ軸パルスモータ２４が回転すると共に回転軸が回転し、ボールねじを介してｘ軸テーブル２３及びｙ軸テーブル２５が所定の位置に移動される。そして、その移動に伴って針２６が識別番号の形状に動かされ、針２６の先端によって機械的にフィルム９１表面の乳剤が取り除かれる。
【００６３】
このようにして、フィルムＩＤ記録装置２００によって、識別情報に応じて機械的にフィルム９１表面の乳剤が取り除かれ、乳剤が除去された部分と乳剤が残っている部分とでは、現像後には光の透過率が大きく異なるため、識別情報が視認可能となる。また、プリンタ等で識別情報がフィルム９１に印刷されている場合と比較して、フィルム９１表面が摩擦された場合にも、識別情報が消去され難いため、識別情報がフィルム９１の取り扱い時に消去されるトラブルの発生が抑制される。
【００６４】
図６は、写真出力装置６００のハード構成図の一例である。写真出力装置６００は、ハウジング６０に設けられた写真出力装置６００全体の動作を制御する制御ユニット６８を備えており、制御ユニット６８はパーソナルコンピュータ等からなる制御部６０Ｃと通信可能に接続されている。また、制御部６０Ｃは、受付装置１００及びフィルムスキャナ４００と通信可能に接続されている。
【００６５】
制御部６０Ｃは、受付装置１００から注文情報及び識別情報を受信して、フィルムスキャナ４００から識別情報及び画像データを受信するものである。そして、制御部６０Ｃは、識別情報をキーとして注文情報と画像データとを対応付けて、画像データを対応する注文情報に従ってプリントすると共に、画像データをプリントして得られた感光材片６１Ａの裏面に識別情報を印刷するべく制御ユニット６８にプリント指示情報を出力するものである。
【００６６】
写真出力装置６００のハウジング６０の内部６０Ｂには、レーザ光を用いて感光材６１の露光処理を行うレーザ露光装置６４が、感光材６１を搬送するコンベア６５上の露光位置６５Ｘに対向するように設けられている。コンベア６５は、複数組の従動ローラ６５Ａ及び駆動ローラ６５Ｂとガイドレール６５Ｃなどで構成されている。ハウジング６０の上面６０Ａには、ロール状に巻回された感光材６１をそれぞれ収納する複数、例えば２つのマガジン６２Ａ及び６２Ｂが装着されている。マガジン６２Ａ及び６２Ｂに収納されている感光材６１の種類を検出するために、２組のセンサ６２Ａ１及び６２Ｂ１が、それぞれマガジン６２Ａ及び６２Ｂに設けられている。
【００６７】
ハウジング６０、マガジン６２Ａ及び６２Ｂはそれぞれ暗箱であり、感光材６１の先端６１Ａ及び６１Ｂはそれぞれマガジン６２Ａ及び６２Ｂからハウジング６０の内部６０Ｂに引き出されている。感光材６１は、ハウジング６０の内部６０Ｂに設けられたカッタ６３により所定の大きさに切断される。以下、所定の大きさに切断された感光材６１を感光材片６１Ａという。感光材片６１Ａは、ハウジング６０の内部６０Ｂにおいて、コンベア６５により露光位置６５Ｘから感光材片６１Ａの現像処理を行う現像ユニット６６に搬送される。
【００６８】
現像ユニット６６は、それぞれ現像液、定着液、漂白液及び安定化液を収容する複数のタンク６６Ａ〜６６Ｄを有している。レーザ露光装置６４により露光された感光材片６１Ａが現像ユニット６６中を搬送されると、潜像が現像され、感光材片６１Ａの感光面上に画像が形成される。そして、現像された感光材片６１Ａは、乾燥ユニット６３により乾燥される。例えば、所要ライン分のヘッドを有するインクジェット方式の印字ユニット６９は、乾燥ユニット６３の下流側で、搬送される感光材片６１Ａの裏面となる側に配設され、搬送されてくる感光材片６１Ａの裏面に識別情報（ここでは、４桁の識別番号）の印刷を行うものである。印刷後の感光材片６１Ａは、ハウジング６０の内部６０Ｂから排出される。現像された感光材片６１Ａは、ハウジング６０の上面６０Ａに設けられたソータ６７上に積み重ねられる。
【００６９】
また、印字ユニット６９の近傍（例えば、上流側）には、感光材片６１Ａの通過を検出するセンサ６９１（図示省略）を有し、このセンサ出力を受けて、印字ユニット６９が作動するようになっている。なお、印字ユニット６９の配設位置は、乾燥ユニット６３の下流側に限らず、例えば、現像処理の影響を受けない場合には、現像ユニット６６の上流側の適所であってもよい。
【００７０】
ここで、写真出力装置６００の動作の概要について説明する。まず、制御部６０Ｃによって、受付装置１００から注文情報及び識別情報が受信され、フィルムスキャナ４００から識別情報及び画像データが受信される。そして、制御部６０Ｃによって、識別情報をキーとして注文情報と画像データとが対応付けられて、画像データを対応する注文情報に従ってプリントすると共に、画像データをプリントして得られた感光材片６１Ａの裏面に識別情報を印刷するべく制御ユニット６８にプリント指示情報が出力される。制御ユニット６８によって、このプリント指示情報に従って写真出力装置６００全体の動作が制御されて、画像データがプリントされ、プリントされて得られた感光材片６１Ａの裏面に印字ユニット６９を介して識別情報が印刷される。
【００７１】
図７は、ＣＤ処理装置７００の斜視図の一例である。ＣＤ処理装置７００は、図の手前右側に処理前（新品）のＣＤ−ＲＷをストックする入側ビン７１と、入側ビン７１の左側奥部にＣＤ−ＲＷにデータを書き込むＣＤ−ＲＷライタ７２と、ＣＤ−ＲＷライタ７２の上側にＣＤ−ＲＷのレーベル面に識別情報をインクジェット方式によって印刷する印字ユニット７３と、印字ユニット７３の左側にＣＤ−ＲＷを移送する移送ユニット７４と、移送ユニット７４の手前に処理済のＣＤ−ＲＷをストックする出側ビン７５と、ＣＤ処理装置７００の全体の動作を制御するマイクロコンピュータ、メモリ等からなる制御部７６と、制御部に対して指示情報を出力するパーソナルコンピュータ等からなる指示部７７とを備えている。
【００７２】
ＣＤ処理装置７００の指示部７７は、受付装置１００及びフィルムスキャナ４００と通信可能に接続されており、受付装置１００から識別情報及び注文情報を受信し、フィルムスキャナ４００から識別情報及び画像データを受信して、フィルムスキャナ４００から受信した識別情報に対応する注文情報の中のＣＤ要否情報が「ＣＤ要」となっている場合に、画像データをＣＤ−ＲＷに書き込むと共に、ＣＤ−ＲＷのレーベル面に識別情報を印字する旨の指示情報を制御部７６に対して出力するものである。制御部７６は、指示部７７からの指示情報に従って、各部を制御して、画像データをＣＤ−ＲＷに書き込むと共に、ＣＤ−ＲＷのレーベル面に識別情報を印字するものである。
【００７３】
図８は、ＣＤ処理装置７００の動作の概要を表すフローチャートの一例である。ただし、フィルムスキャナ４００から受信した識別情報に対応する注文情報の中のＣＤ要否情報が「ＣＤ要」となっている場合について説明する。まず、指示部７７によって、フィルムスキャナ４００から識別情報及び画像データが受信される（ステップＳ２０１）。そして、ＣＤ−ＲＷライタ７２のトレイがＣＤ−ＲＷを載置可能な位置に移動され、移送ユニット７４によって、新品のＣＤ−ＲＷが入側ビン７１からＣＤ−ＲＷライタ７２のテーブル上に移送される（ステップＳ２０３）。つぎに、ＣＤ−ＲＷライタ７２のトレイがＣＤ−ＲＷの書込み可能な位置に移動され、ＣＤ−ＲＷライタ７２によってＣＤ−ＲＷに画像データが書き込まれる（ステップＳ２０５）。
【００７４】
次いで、ＣＤ−ＲＷライタ７２のトレイがＣＤ−ＲＷの取り出し可能な位置に移動され、移送ユニット７４によって、ＣＤ−ＲＷがＣＤ−ＲＷライタ７２から取り出され（ステップＳ２０７）、図略の印刷用トレイ上に移送される（ステップＳ２０９）。そして、印字ユニット７３によって、ＣＤ−ＲＷのレーベル面に識別情報が印刷される（ステップＳ２１１）。つぎに、移送ユニット７４によって、ＣＤ−ＲＷが印刷用トレイ上から出側ビン７５に移送され（ステップＳ２１３）、処理が終了される。
【００７５】
このようにして、識別情報がディスク状の記録媒体であるＣＤ−ＲＷのレーベル面に印刷されるため、作業者等がＣＤ−ＲＷに印刷された識別情報を容易に確認することが可能となる。
【００７６】
図９は、注文情報表示装置８００のハード構成図の一例である。注文情報表示装置８００は、例えば、パーソナルコンピュータ等からなり、注文情報表示装置８００の全体の動作を制御する制御部８１と、外部からの操作を受け付ける図略のキーボード、マウス等からなる操作部８２と、外部に音声を出力するスピーカ８３と、外部に画像を出力するモニタ８４と、受付装置１００と通信を行う通信制御部８５と、種々の情報を記録用紙に印刷するプリンタ８６とがデータ伝送路であるバスＢＡ８を介して接続されている。
【００７７】
制御部８１は、注文情報表示装置８００の全体の動作を制御するもので、情報処理部（ＣＰＵ）１１１と、処理途中の情報等を一時的に格納するＲＡＭ８１２と、ＯＳ（ｏｐｅｒａｔｉｎｇ  ｓｙｓｔｅｍ）、所定の画像情報等が予め記憶されたＲＯＭ８１３とを備えている。ＲＡＭ８１２またはＲＯＭ８１３に記憶された各種データのうち装着脱可能な記録媒体に記憶され得るデータは、例えばハードディスクドライブ、光ディスクドライブ、フレキシブルディスクドライブ、シリコンディスクドライブ、カセット媒体読み取り機等のドライバで読み取り可能にしてもよく、この場合、記録媒体は、例えばハードディスク、光ディスク、フレキシブルディスク、ＣＤ、ＤＶＤ、半導体メモリ等である。
【００７８】
インターフェイス部８２１は、操作部８２との間のデータの授受を行うためのものである。音声再生部８３１は、制御部８１からの指示に従って所定の音声（例えば、アラーム、操作ガイダンス用の音声等）等をスピーカ８３に出力するものである。描画処理部８４１は、制御部８１からの画像表示指示に従って所要の画像をモニタ８４に表示させるもので、ビデオＲＡＭ等を備えている。
【００７９】
図１０は、注文情報表示装置８００の機能構成図の一例である。ＣＰＵ８１１は、受付装置１００から識別情報及び注文情報を受信するデータ受信部８１１ａと、注文情報を用いて課金金額を算出する課金金額算出部８１１ｂ（課金金額算出手段に相当する）と、モニタ８４に注文情報を表示する注文情報表示部８１１ｃ（注文情報表示手段に相当する）とを備えている。また、ＲＡＭ８１２は、識別情報及び注文情報を格納する受付情報記憶部８１２ａ（受付情報記憶手段に相当する）と、課金金額算出部８１１ｂによって課金金額を算出するために使用される単価を格納する単価記憶部８１２ｂとを備えている。
【００８０】
データ受信部８１１ａは、通信制御部８５を介して受付装置１００から識別情報及び注文情報を受信すると共に、受け付けた注文情報を識別情報と対応付けて受付情報記憶部８１２ａに格納するものである。
【００８１】
課金金額算出部８１１ｂは、受付情報記憶部８１２ａから注文情報を読み出して、注文情報の内のプリント情報と、単価記憶部８１２ｂに格納されている単価情報とを用いて注文毎の課金金額を求めて、求めた課金金額を識別情報と対応付けて受付情報記憶部８１２ａに格納するるものである。
【００８２】
例えば、課金金額算出部８１１ｂは、次の（１）式を用いて課金金額を求めるものである。
（課金金額）＝（現像料金）＋（プリント単価）×（プリント枚数）      （１）
ただし、現像料金は、フィルムの撮影可能枚数に応じて予め設定されており、プリント単価はプリントサイズに応じて予め設定されており、それぞれの単価が単価記憶部８１２ｂに格納されている。
【００８３】
注文情報表示部８１１ｃは、受付装置１００によって発行された預り証９５を参照して操作部８２を介して外部から入力された識別情報を受け付けて、受け付けた識別情報に対応する注文情報及び課金金額情報を受付情報記憶部８１２ａから読み出してモニタ８４に表示するものである。
【００８４】
受付情報記憶部８１２ａは、データ受信部８１１ａによって受信された注文情報及び識別情報を格納すると共に、課金金額算出部８１１ｂによって算出された課金金額を識別情報と対応付けて格納するものである。
【００８５】
単価記憶部８１２ｂは、課金金額算出部８１１ｂによって課金金額を算出するために使用する単価情報を格納するものであって、例えば、課金金額算出部８１１ｂが（１）式を用いて課金金額を求める場合には、フィルムの撮影可能枚数に応じて設定された現像料金と、プリントサイズに応じて設定されたプリント単価とを格納するものである。
【００８６】
なお、注文情報表示装置８００をデータ受信部８１１ａ、課金金額算出部８１１ｂ及び注文情報表示部８１１ｃとして機能させるプログラムが、例えばＲＯＭ８１３に格納されており、ＣＰＵ８１１によって実行されることにより、注文情報表示装置８００がデータ受信部８１１ａ等の各機能部として機能するものである。
【００８７】
図１１は、注文情報表示装置８００の動作の概要を表すフローチャートの一例である。まず、注文情報表示部８１１ｃによって、操作部８２を介して外部から入力された識別情報が受け付けられる（ステップＳ３０１）。次いで、注文情報表示部８１１ｃによって、受付情報記憶部８１２ａからステップＳ３０１で受け付けられた識別情報に対応する注文情報が読み込まれる（ステップＳ３０３）。
【００８８】
そして、課金金額算出部８１１ｂによって、ステップＳ３０２で読み込まれた注文情報を用いて、課金金額が算出される（ステップＳ３０５）。つぎに、注文情報表示部８１１ｃによって、ステップＳ３０１で受け付けられた識別情報と、ステップＳ３０３で読み込まれた注文情報と、ステップＳ３０５で算出された課金金額情報とがモニタ８４に表示され（ステップＳ３０７）、処理が終了される。
【００８９】
上述のように、識別情報がフィルム９１及びプリントされた各写真９３に視認可能に記録されるため、記録された識別情報を用いて、フィルム９１（ここでは、フィルム９１が収納されたネガシート９２）とプリントされた写真９３とを効率的に照合することが可能となる。
【００９０】
また、ＣＤ処理装置７００によって、フィルムスキャナ４００で読み取られたフィルム９１の画像データがＣＤ９４に格納されると共に、ＣＤ９４のレーベル面に識別情報が視認可能に記録されるため、識別情報を用いて、ＣＤ９４とフィルム９１（ここでは、フィルム９１が収納されたネガシート９２）とを効率的に照合することが可能となる。
【００９１】
加えて、注文情報表示装置８００によって、外部から入力された識別情報が受け付けられて、受け付けた識別情報に対応する注文情報がモニタ８４に表示されるため、識別情報を用いて、注文情報とフィルム９１（ここでは、フィルム９１が収納されたネガシート９２）及びプリントされた写真９３とを照合することが可能となる。
【００９２】
また、注文情報表示装置８００によって、注文情報を用いて課金金額が算出されて、モニタ８４に表示されるため、作業者が課金金額を計算する作業が不要となり、作業者の負荷が軽減されると共に、課金金額が正確に求められる。
【００９３】
なお、本発明は以下の形態をとることができる。
【００９４】
（Ａ）本実施形態においては、受付装置１００、フィルムＩＤ記録装置２００、フィルム現像機３００、フィルムスキャナ４００、フィルム処理装置５００、写真出力装置６００、ＣＤ処理装置７００及び注文情報表示装置８００が別々の装置として構成されている場合について説明したが、これらの内の２つ以上の装置を一体に構成する形態でもよい。例えば、受付装置１００と注文情報表示装置８００とを１の装置で構成する形態でもよい。この場合には、注文情報等を伝送する必要がなくなり、写真処理システム１０の構成が簡略化される。
【００９５】
（Ｂ）本実施形態においては、受付装置１００が預り証９５を発行する場合について説明したが、預り証９５に替えて（又は、加えて）受付装置１００が、注文者の所有するパーソナルコンピュータ又は携帯電話等に対して識別情報を含む電子メールを送信する形態でもよい。この場合には、注文者が預り証９５を紛失する等に伴って確認作業が煩雑化する可能性が抑制される。
【００９６】
（Ｃ）本実施形態においては、フィルムＩＤ記録装置２００がフィルム９１表面の乳剤を機械的に取り除くことによって識別情報を記録する場合について説明したが、その他の方法によって識別情報を記録する形態でもよい。例えば、識別情報が印刷された印刷物を貼り付ける形態でもよい。
【００９７】
（Ｄ）本実施形態においては、写真出力装置６００がプリントされた各写真９３の裏面に識別情報を印刷する場合について説明したが、写真出力装置６００が１のフィルム９１に対応する写真９３を出力する度に識別情報が記録された印画紙を出力する形態でもよい。この場合には、写真９３の裏面に識別情報を印刷するための印字ユニット６９等が不要となり、装置が簡略化される。また、識別情報が記録された印画紙に識別情報に対応するフィルムに含まれる写真のサムネイル画像をプリントして出力する形態でもよい。この場合には、サムネイル画像がプリントされる印画紙と、識別情報が記録される印画紙とが共用されるため、印画紙を有効に使用することが可能となる。また、識別情報が記録される印画紙にサムネイル画像がプリントされているため、識別情報が記録される印画紙とプリントされた各写真９３とがバラバラになった（対応付けが不明な状態となった）場合にも、識別情報が記録される印画紙とプリントされた各写真９３との照合が可能となる。
【００９８】
（Ｅ）本実施形態においては、画像データをＣＤ−ＲＷに記録する場合について説明したが、その他の記録媒体に記録する形態でもよい。例えば、ＣＤ−Ｒ、ＤＶＤ−Ｒ、ＤＶＤ−ＲＷ、ＤＶＤ＋ＲＷ、ＤＶＤ−ＲＡＭ等に記録する形態でもよい。
【００９９】
（Ｆ）本実施形態においては、受付装置１００がフィルム毎に識別情報を付与する場合について説明したが、注文（オーダー）毎に識別情報を付与する形態でもよい。この場合には、受付情報記憶部１１２ａ等の記憶領域が削減されると共に、処理が簡略化される。
【図面の簡単な説明】
【０１００】
【図１】本発明が適用される写真処理システムの概略構成図の一例である。
【図２】受付装置のハード構成図の一例である。
【図３】受付装置の機能構成図の一例である。
【図４】受付装置の動作を表すフローチャートの一例である。
【図５】フィルムＩＤ記録装置のハード構成図の一例である。
【図６】写真出力装置のハード構成図の一例である。
【図７】ＣＤ処理装置の斜視図の一例である。
【図８】ＣＤ処理装置の動作の概要を表すフローチャートの一例である。
【図９】注文情報表示装置のハード構成図の一例である。
【図１０】注文情報表示装置の機能構成図の一例である。
【図１１】注文情報表示装置の動作の概要を表すフローチャートの一例である。
【符号の説明】
【０１０１】
１０  写真処理システム
１００  受付装置
２００  フィルムＩＤ記録装置
３００  フィルム現像機
４００  フィルムスキャナ
５００  フィルム処理装置
６００  写真出力装置
７００  ＣＤ処理装置
８００  注文情報表示装置
９１  フィルム
９２  ネガシート
９３  写真
９４  ＣＤ
９５  預り証
【図１】
2005300826.tif 000003
【図２】
2005300826.tif 000004
【図３】
2005300826.tif 000005
【図４】
2005300826.tif 000006
【図５】
2005300826.tif 000007
【図６】
2005300826.tif 000008
【図７】
2005300826.tif 000009
【図８】
2005300826.tif 000010
【図９】
2005300826.tif 000011
【図１０】
2005300826.tif 000012
【図１１】
2005300826.tif 000013